(57)【要約】 【課題】本発明の目的は、自治体の行うゴミ収集に際して、ゴミ出しとゴミ用具の後片付けを容易にするとともに構造をシンプルにして低価格のゴミ集積用具を提供する。 【解決手段】本発明のゴミ集積用具は，鎖ループに樹脂ネットを装着して、この樹脂ネット内部に鎖ループの形状に対応した空間を形成し、上記鎖ループを下にして集積場所に設置することにより、上記空間にゴミを集積する。 【選択図】図１
2010202351.tif 000002
【特許請求の範囲】
【請求項１】
樹脂ネットまたは不織布に鎖ループを装着して、この樹脂ネットまたは不織布内部に鎖ループの形状に対応した空間を形成し、上記鎖ループを下にして集積場所に設置することにより、ゴミを集積することを特徴とするゴミ集積用具。
【請求項２】
請求項１記載のゴミ集積用具において、複数本の形状保持紐および補強紐をネットに装着したことを特徴とするゴミ集積用具。
【発明の詳細な説明】
【技術分野】
【０００１】
本発明は、自治体の行うゴミ収集に際して、ゴミ出しとゴミ用具の後片付けの容易なゴミ集積用具に関する。
【背景技術】
【０００２】
これまでのゴミ集積用具には設置場所が限られたり、高価であったり、取り扱いが複雑であったり、また、目方が重かったりするためにゴミ集積用具の使用が限定されているので、カラスや犬猫等によるゴミ散乱の問題を解決するに至っていない。従って、ゴミ集積用具のさらな改善が要求される。
【０００３】
この改善策として，ゴミ集積用具が場所の制限を受けることなく設置できるようにすること、構造をシンプルにして低価格化と軽量化を行うこと、さらに取り扱いを容易にするための材料を用いることである。
【先行技術文献】
【特許文献】
【０００４】
【特許文献１】特開２００1−１７１８０４号公報
【発明の概要】
【発明が解決しようとする課題】
【０００５】
解決しようとする問題点は構造の複雑性にあると考えられるので、構造をシンプルにするための材料を選択し、さらに材料の組み合わせの最適化を行って、上記の要求事項を満足するゴミ集積用具を提供することである。
【課題を解決するための手段】
【０００６】
上記問題点を解決するために，本発明のゴミ集積用具は，樹脂ネットまたは不織布に鎖ループを装着して、この樹脂ネットまたは不織布内部に鎖ループの形状に対応した空間を形成し、上記鎖ループを下にして集積場所に設置することにより、ゴミを集積する。また、複数本の形状保持紐および補強紐をネットに装着することにより取り扱いを容易にすると共に強度を高める。ゴミ集積に適する長さの鎖の両端を接続して鎖ループとし、この鎖ループに樹脂ネットを装着して鎖ループの形状に対応した空間を形成し、上記鎖ループを下にして集積場所に設置して後、上記樹脂ネットの上部よりゴミ袋を投入し、投入後は上部を閉じて、ゴミを集積する。ゴミ回収時には、樹脂ネットを上方に引き上げてゴミ袋を露出させる。このとき樹脂ネットは自動的に小さくなるので後片付けは容易である。
【発明の効果】
【０００７】
上記のように構成されたゴミ集積用具において，樹脂ネットの重量は軽く、また鎖ループの重量は取り扱いに支障のないように選べるのでゴミ集積用具として軽量化できる。このため用具の移動が容易となり，用具の置き場所の困難性が緩和できる。傾斜地においても安定して設置できる。また、鎖ループは柔軟性があるため設置面の凹凸にも対応できる。さらに構造が単純であるため取り扱いが容易であり、材料も安価であるため経済性の面でも有利である。
【図面の簡単な説明】
【０００８】
【図１】本発明の実施例によるゴミ集積用具の基本形態を示す図である。
【図２】本発明の他の実施例による形状保持および補強機能を高めたゴミ集積用具の全体図である。
【図３】本発明の他の実施例による不織布を使用するゴミ集積用具の全体図である。
【発明を実施するための形態】
【０００９】
樹脂ネット用材料は軟質と硬質があり、軟質は形状を変え易いが、硬質は形状を変え難いので、ゴミ集積用具には両方の性質を併せ持つものがよい。しかし、所望の性質は軟質と硬質の材料を組み合わせても得られる。取り扱いの観点から、ゴミ投入時には投入口が投入し易いような形状に保持することが大切である。一方、片付け易いようにするためには軟質樹脂ネットが適している。鎖ループの重さと大きさについては、安定した設置を可能とし、移動に支障のないような重さに選ぶと共に鎖ループと設置面とのギャップがカラスや犬猫の侵入を阻止できる大きさの鎖の大きさにすることが最良の実施形態である。
【実施例１】
【００１０】
実施例について図面を参照して説明する。図１は本発明によるゴミ集積用具１の基本形態を示す。  鎖は複数個の環をつなげ合わせて作られ、さらに鎖の両端をつなぎ合わせて作られる鎖ループ２に樹脂ネット３が装着される。樹脂ネット３は方形のシートで辺の長さをＡおよびＢとしてＡの長さを鎖ループ２の長さにほぼ等しくし、辺Ｂ同士を縫い合わせて作られる。装着は辺Ａに位置する網目と鎖ループ２の環とに糸を通して行なう。樹脂ネットは図１には、鎖ループ３の形状を方形として示しているが、任意の形状にできる。円形にすれば樹脂ネット３の内容積は最大となり多くのゴミ袋を収容できる。樹脂ネット３が鎖ループ２の形状を保持したまま直立できればゴミ袋の投入が容易となることから、樹脂ネット３の寸法、材質、ネット構造が決められる。
【００１１】
次に、本発明によるゴミ集積用具１の使用法について説明すると、樹脂ネット３の上部投入口よりゴミ袋を内部に投入する。投入後は、図１には示されていないが、上部投入口はクリップ、面ファスナー等で閉じられる。
【００１２】
ゴミ集積用具１の後片付けについて述べると、樹脂ネット３の上部投入口を閉じたまま、ゴミ集積用具１を上方に引き上げることにより、ゴミ袋が露出される。この時、ゴミ集積用具１は自動的に体積が小さくなるので、そのまま所定の場所に置くだけで後片付けが終了する。露出されたゴミ袋はゴミ収集車に運ばれて収集作業を終了する。
【００１３】
次に本発明の他の実施例について説明する。図２は樹脂ネット３の形状保持機能を高めるために形状保持紐４を樹脂ネット３に装着すると共にネットの強度を補うための補強紐５を図２に示すように装着する。補強紐５は鎖ループ２の重量が、直接、樹脂ネット３に影響しないようにするため、鎖ループ２を補強紐５に装着する。さらに形状保持紐４と補強紐５を堅固に結んで、鎖ループの重量が樹脂ネット３に掛からないようにする。これにより樹脂ネット３を上に引き上げたときにネットに掛かる重量が軽減される。
【００１４】
次にその他の実施例について説明する。樹脂ネットの代わりに不織布を用いることにより、製造工程の簡易化を行うと共に環境美化をも行うものである。図３を参照すると、図１に示す樹脂ネット３の代わりに不織布６を使用する実施例が示されている。図３においては、鎖ループ２は不織布６で包まれており、この場合、ミシンにより縫い合わせができるため、作業が容易となる。ゴミ収集を容易にするために不織布６に取手をつける。また、不織布６に絵や文章を用意すると美化に役立つ利点がある。さらに、図３において、取手７の左右の面の中央部を内側に折り畳むようにするための器具を取り付けることにより後片付けが容易となる。この器具は上記中央部が外側に移動することを阻止する働きがある。
【００１５】
以上本発明の実施例について説明したが、実施例によって本発明が限定されることはなく、次のように本発明を改変することができる。たとえば、鎖ループ２の代わりに独立した複数個の錘を使用すること、樹脂ネット３上部の開閉を行うため面ファスナーや永久磁石を使用すること、樹脂ネット３の変わりに樹脂シートを使用すること、さらに形状保持紐４と補強紐５の代わりに適切に加工されたプラスチック・ダンボールを使用すること等である。
【符号の説明】
【００１６】
１  ゴミ集積用具
２  鎖ループ
３  樹脂ネット
４  形状保持紐
５  補強紐
６  不織布
７  取手
【図１】
2010202351.tif 000003
【図２】
2010202351.tif 000004
【図３】
2010202351.tif 000005